(57)【特許請求の範囲】
【請求項１】
測定時に測定者によって手で持たれる筐体と、前記筐体に設けられて前記測定者の呼気が吹き込まれる呼気吹込部と、前記呼気吹込部に吹き込まれた前記呼気中のアルコール濃度を測定するアルコールセンサと、前記呼気吹込部に吹き込まれた前記呼気の強さを測定する呼気強さセンサと、前記筐体に設けられて前記呼気強さセンサによって測定された前記強さを表示する呼気強さ表示部と、ＣＰＵとを備えており、
前記ＣＰＵは、前記アルコールセンサによる前記アルコール濃度の測定を有効にする前記強さの範囲である有効範囲内に前記強さが維持されているとき、前記呼気吹込部に吹き込まれた呼気量の累計値である呼気量累計値を更新し、前記強さが前記有効範囲外になったとき、前記呼気量累計値をリセットし、前記呼気量累計値が、前記アルコールセンサによる前記アルコール濃度の測定を有効にする呼気量である有効呼気量に達したとき、前記アルコールセンサによって前記アルコール濃度を測定し、
前記呼気強さ表示部は、前記呼気吹込部に前記呼気を吹き込んでいる最中の前記測定者から視認可能な位置に配置されていることを特徴とするアルコール測定器。
【請求項２】
前記呼気強さ表示部は、前記アルコールセンサによる前記アルコール濃度の測定を有効にする前記強さの範囲である有効範囲内を複数の段階で表示することを特徴とする請求項１に記載のアルコール測定器。
【請求項３】
前記呼気強さ表示部は、前記強さを複数の段階で表示する複数個の発光体を備えていることを特徴とする請求項２に記載のアルコール測定器。
【請求項４】
前記複数個の発光体は、対応する前記強さの段階の順番に並べて配列されていることを特徴とする請求項３に記載のアルコール測定器。
【請求項５】
前記有効範囲内の中央の段階に対応する前記発光体は、他の前記発光体と異なる発光を行うことを特徴とする請求項３または請求項４に記載のアルコール測定器。
【請求項６】
前記呼気強さ表示部は、前記有効範囲内の複数の段階のうち前記有効範囲外に隣接する少なくとも１つの段階と、この段階に隣接する前記有効範囲外とを同一の表示にすることを特徴とする請求項３から請求項５までの何れかに記載のアルコール測定器。
【請求項７】
前記呼気強さ表示部は、発光方法を変えることによって前記強さを複数の段階で表示する１個の発光体を備えていることを特徴とする請求項２に記載のアルコール測定器。
【請求項８】
前記呼気強さ表示部は、前記筐体のうち突出している部分上の位置であって、前記呼気吹込部に前記呼気を吹き込んでいる最中の前記測定者の目と対向する位置に配置されていることを特徴とする請求項１から請求項７までの何れかに記載のアルコール測定器。
【発明の詳細な説明】
【技術分野】
【０００１】
本発明は、測定者の呼気中のアルコール濃度を測定することができるアルコール測定器に関する。
【背景技術】
【０００２】
従来のアルコール測定器としては、測定時に測定者によって手で持たれる筐体と、筐体に設けられて測定者の呼気が吹き込まれるマウスピースと、マウスピースに吹き込まれた呼気中のアルコール濃度を測定するアルコールセンサと、マウスピースに吹き込まれた呼気の強さである風力を測定する風力センサと、筐体に設けられて測定者の呼気中のアルコール濃度の測定が正常に完了したことを示すＯＫランプとを備えており、風力センサによって測定された風力の有意な上昇が認められた場合に、風力センサによって測定された風力の有意な上昇が認められたタイミングでアルコールセンサによってアルコール濃度を測定してＯＫランプを点灯させ、風力センサによって測定された風力の有意な上昇が認められないなどの異常事態を検出した場合に、ＯＫランプを点滅させることによって測定者に対して再測定を指示するアルコール検査器が知られている（例えば、特許文献１参照。）。
【先行技術文献】
【特許文献】
【０００３】
【特許文献１】特開２００８−２３２７１０号公報
【発明の概要】
【発明が解決しようとする課題】
【０００４】
しかしながら、特許文献１に記載されているアルコール検査器は、マウスピースに呼気を吹き込んでいる最中の測定者から視認することができない位置にＯＫランプが配置されているので、アルコールセンサによるアルコール濃度の測定を有効にする呼気の強さの範囲内であるか否かを、マウスピースに呼気を吹き込んでいる最中の測定者に認識させることができない。
【０００５】
そのため、測定者は、アルコールセンサによるアルコール濃度の測定を有効にする範囲内に呼気の強さを維持することが困難である。その結果、測定者は、測定を一度で成功することができずに何度もやり直さなければならないこともある。例えば、警察の飲酒運転取り締まり用のアルコール測定器のように測定者が使い慣れていないアルコール測定器の場合には、測定者は、アルコールセンサによるアルコール濃度の測定を有効にする範囲内に呼気の強さを維持することがなおさら困難である。
【０００６】
そこで、本発明は、呼気を吹き込んでいる最中の測定者に呼気の強さを認識させることができるアルコール測定器を提供することを目的とする。
【課題を解決するための手段】
【０００７】
本発明のアルコール測定器は、測定時に測定者によって手で持たれる筐体と、前記筐体に設けられて前記測定者の呼気が吹き込まれる呼気吹込部と、前記呼気吹込部に吹き込まれた前記呼気中のアルコール濃度を測定するアルコールセンサと、前記呼気吹込部に吹き込まれた前記呼気の強さを測定する呼気強さセンサと、前記筐体に設けられて前記呼気強さセンサによって測定された前記強さを表示する呼気強さ表示部とを備えており、前記呼気強さ表示部は、前記呼気吹込部に前記呼気を吹き込んでいる最中の前記測定者から視認可能な位置に配置されていることを特徴とする。
【０００８】
この構成により、本発明のアルコール測定器は、呼気吹込部に呼気を吹き込んでいる最中の測定者から視認可能な位置に呼気強さ表示部が配置されているので、呼気を吹き込んでいる最中の測定者に呼気の強さを認識させることができる。
【０００９】
また、本発明のアルコール測定器の前記呼気強さ表示部は、前記アルコールセンサによる前記アルコール濃度の測定を有効にする前記強さの範囲である有効範囲内を複数の段階で表示しても良い。
【００１０】
この構成により、本発明のアルコール測定器は、有効範囲内の何れの段階に現在の呼気の強さが位置しているかを測定者に認識させることができるので、呼気の強さが有効範囲内であるか否かのみを表示する構成、すなわち、有効範囲内を１段階のみで表示する構成と比較して、測定者に呼気の強さを有効範囲内に容易に維持させることができる。
【００１１】
また、本発明のアルコール測定器の前記呼気強さ表示部は、前記強さを複数の段階で表示する複数個の発光体を備えていても良い。
【００１２】
この構成により、本発明のアルコール測定器は、呼気強さ表示部が呼気の強さを数値で表示する構成と比較して、呼気の強さが適正であるかを測定者に容易に認識させることができる。
【００１３】
また、本発明のアルコール測定器の前記複数個の発光体は、対応する前記強さの段階の順番に並べて配列されていても良い。
【００１４】
この構成により、本発明のアルコール測定器は、複数個の発光体が呼気の強さの段階の順番と関係なく配置されている構成と比較して、呼気の強さが適正であるかを測定者に容易に認識させることができる。
【００１５】
また、本発明のアルコール測定器の前記有効範囲内の中央の段階に対応する前記発光体は、他の前記発光体と異なる発光を行っても良い。
【００１６】
この構成により、本発明のアルコール測定器は、有効範囲内の中央の段階を測定者に容易に認識させることができるので、有効範囲内の中央の段階の表示になるように測定者に呼気の強さを調整させることによって、測定者に呼気の強さを有効範囲内に容易に維持させることができる。
【００１７】
また、本発明のアルコール測定器の前記呼気強さ表示部は、前記有効範囲内の複数の段階のうち前記有効範囲外に隣接する少なくとも１つの段階と、この段階に隣接する前記有効範囲外とを同一の表示にしても良い。
【００１８】
この構成により、本発明のアルコール測定器は、呼気の強さが有効範囲内であるときに呼気の強さが変化して有効範囲外と同一の表示になっても、この表示になった直後は呼気の強さが未だ有効範囲内であるので、この表示にならないように測定者に呼気の強さを調整させることによって、測定者に呼気の強さを有効範囲内に容易に維持させることができる。また、本発明のアルコール測定器は、有効範囲内の少なくとも１つの段階を、有効範囲外と同一の表示にするので、この段階を、有効範囲外と別の表示にする構成と比較して、発光体の個数を少なくすることができる。
【００１９】
また、本発明のアルコール測定器の前記呼気強さ表示部は、発光方法を変えることによって前記強さを複数の段階で表示する１個の発光体を備えていても良い。
【００２０】
この構成により、本発明のアルコール測定器は、複数個の発光体で呼気の強さを表示する構成と比較して、発光体の設置空間を小さくすることができる。
【００２１】
また、本発明のアルコール測定器の前記呼気強さ表示部は、前記筐体のうち突出している部分上の位置であって、前記呼気吹込部に前記呼気を吹き込んでいる最中の前記測定者の目と対向する位置に配置されていても良い。
【００２２】
この構成により、本発明のアルコール測定器は、呼気を吹き込んでいる最中の測定者に呼気強さ表示部を容易に視認させることができる。
【発明の効果】
【００２３】
本発明のアルコール測定器は、呼気を吹き込んでいる最中の測定者に呼気の強さを認識させることができる。
【図面の簡単な説明】
【００２４】
【図１】本発明の第１の実施の形態に係るアルコール測定器の外観斜視図である。
【図２】図１に示すアルコール測定器のブロック図である。
【図３】図１に示すアルコール測定器の動作のフローチャートである。
【図４】図１に示すアルコール測定器の呼気圧表示部の表示例を示す図である。
【図５】測定者によって図１に示すマウスピースに吹き込まれた呼気の圧力の例を示す図である。
【図６】図１に示すアルコール測定器の呼気圧表示部の図４に示す表示例とは異なる表示例を示す図である。
【図７】（ａ）図１に示すアルコール測定器の図１に示す例とは異なる例を示す図である。（ｂ）図１に示すアルコール測定器の図１および図７（ａ）に示す例とは異なる例を示す図である。
【図８】（ａ）図１に示すアルコール測定器の図１および図７に示す例とは異なる例を示す図である。（ｂ）図１に示すアルコール測定器の図１、図７および図８（ａ）に示す例とは異なる例を示す図である。
【図９】本発明の第２の実施の形態に係るアルコール測定器の外観斜視図である。
【発明を実施するための形態】
【００２５】
以下、本発明の実施の形態について、図面を用いて説明する。
【００２６】
（第１の実施の形態）
まず、本発明の第１の実施の形態に係るアルコール測定器の構成について説明する。
【００２７】
図１は、本実施の形態に係るアルコール測定器１０の外観斜視図である。
【００２８】
図１に示すように、アルコール測定器１０は、測定時に測定者９０によって手９１で持たれる筐体２１と、筐体２１に設けられて測定者９０に咥えられて呼気が吹き込まれる本発明の呼気吹込部としてのマウスピース２２と、マウスピース２２に吹き込まれた呼気中のアルコール濃度の測定を開始するためのスイッチ２３と、マウスピース２２に吹き込まれた呼気中のアルコール濃度を表示するアルコール濃度表示部２４と、マウスピース２２に吹き込まれた呼気の強さとして呼気の圧力である呼気圧を表示する本発明の呼気強さ表示部としての呼気圧表示部２５とを備えている。
【００２９】
筐体２１は、マウスピース２２が差し込まれる図示していない呼気注入口が形成されている面２１ａと、面２１ａに隣接してスイッチ２３、アルコール濃度表示部２４および呼気圧表示部２５が設けられる面２１ｂとを備えている略直方体である。
【００３０】
マウスピース２２は、筐体２１の呼気注入口に対して抜き差し可能に設けられており、測定者９０毎に交換されることができるようになっている。
【００３１】
スイッチ２３は、筐体２１の面２１ｂにおいて略中央に設けられている。
【００３２】
アルコール濃度表示部２４は、ＬＣＤ（Ｌｉｑｕｉｄ  Ｃｒｙｓｔａｌ  Ｄｉｓｐｌａｙ）などの表示デバイスである。アルコール濃度表示部２４は、筐体２１の面２１ｂにおいてスイッチ２３に対してマウスピース２２側に設けられている。
【００３３】
呼気圧表示部２５は、５個の発光体２５ａ〜２５ｅで構成されている。発光体２５ａ〜２５ｅは、ＬＥＤ（Ｌｉｇｈｔ  Ｅｍｉｔｔｉｎｇ  Ｄｉｏｄｅ）などの発光デバイスである。呼気圧表示部２５は、筐体２１の面２１ｂにおいてスイッチ２３に対してマウスピース２２側とは反対側であって、マウスピース２２に呼気を吹き込んでいる最中の測定者９０から視認可能な位置に設けられている。発光体２５ａ〜２５ｅは、マウスピース２２に呼気を吹き込んでいる最中の測定者９０から見て横方向に左から右の順番に並んでいる。発光体２５ａおよび発光体２５ｅは、同一の色で発光するようになっている。発光体２５ｂおよび発光体２５ｄは、発光体２５ａおよび発光体２５ｅの発光色とは異なる同一の色で発光するようになっている。発光体２５ｃは、発光体２５ａ、発光体２５ｂ、発光体２５ｄおよび発光体２５ｅの発光色とは異なる色で発光するようになっている。
【００３４】
図２は、アルコール測定器１０のブロック図である。
【００３５】
図２に示すように、アルコール測定器１０は、アルコール測定器１０全体を制御するためのＣＰＵ（Ｃｅｎｔｒａｌ  Ｐｒｏｃｅｓｓｉｎｇ  Ｕｎｉｔ）３１と、ＣＰＵ３１を動作させるためのプログラムや各種のデータを予め記憶しているＲＯＭ(Ｒｅａｄ  Ｏｎｌｙ  Ｍｅｍｏｒｙ)３２と、ＣＰＵ３１の作業領域として用いられるＲＡＭ(Ｒａｎｄｏｍ  Ａｃｃｅｓｓ  Ｍｅｍｏｒｙ)３３と、測定結果を記憶するための例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの不揮発メモリ３４と、マウスピース２２に吹き込まれた呼気中のアルコール濃度を測定するアルコールセンサ３５と、アルコールセンサ３５から出力された信号を増幅するアンプ３６と、アルコールセンサ３５にアルコール濃度を測定させるためにマウスピース２２に吹き込まれた呼気を吸引する吸引ポンプ３７と、マウスピース２２に吹き込まれた呼気の強さとして呼気圧を測定する本発明の呼気強さセンサとしての呼気圧センサ３８と、時間を計測する時計３９と、上述したスイッチ２３、アルコール濃度表示部２４および呼気圧表示部２５とを備えている。
【００３６】
ＣＰＵ３１、ＲＯＭ３２、ＲＡＭ３３、不揮発メモリ３４、アルコールセンサ３５、アンプ３６、吸引ポンプ３７、呼気圧センサ３８および時計３９は、筐体２１の内部に設けられている。
【００３７】
図３は、アルコール測定器１０の動作のフローチャートである。
【００３８】
測定者９０は、呼気中のアルコール濃度の測定を行うことを希望するとき、アルコール測定器１０のスイッチ２３を押して、マウスピース２２に呼気を吹き込む。アルコール測定器１０のＣＰＵ３１は、測定者９０によってスイッチ２３が押されると、図３に示す処理を実行する。
【００３９】
図３に示すように、ＣＰＵ３１は、ＲＡＭ３３に記憶されている呼気量累計値をゼロにリセットする（Ｓ５１）。ここで、呼気量累計値とは、測定者９０によって吹き込まれた呼気量が、アルコールセンサ３５によるアルコール濃度の測定を有効にする呼気量（以下「有効呼気量」という。）に達したか否かをＣＰＵ３１が判断するための値である。呼気量累計値は、測定者９０によって吹き込まれた呼気の流速を時間で積分することによって求めることができる。呼気の流速は、アルコール測定器１０において呼気圧に比例するので、呼気圧から求めることができる。
【００４０】
次いで、ＣＰＵ３１は、測定者９０によって吹き込まれた呼気の圧力を呼気圧センサ３８によって測定する（Ｓ５２）。ここで、ＣＰＵ３１は、時計３９によって計測される時間に基づいて、一定の時間毎にＳ５２を実行するように図３に示す処理を制御している。この一定の時間を以下において呼気圧測定単位時間という。
【００４１】
次いで、ＣＰＵ３１は、Ｓ５２において測定した呼気圧が範囲１内であるか否かを判断する（Ｓ５３）。
【００４２】
ここで、ＣＰＵ３１は、呼気圧を範囲１〜７の７段階に分類するようになっている。範囲１は、アルコールセンサ３５によるアルコール濃度の測定を有効にする呼気圧の最小値である最小呼気圧より小さい呼気圧の範囲である。範囲７は、アルコールセンサ３５によるアルコール濃度の測定を有効にする呼気圧の最大値である最大呼気圧より大きい呼気圧の範囲である。最小呼気圧および最大呼気圧が設定される理由は、ある程度の圧力の呼気でなければアルコールセンサ３５によるアルコール濃度の正確な測定ができないからである。最小呼気圧および最大呼気圧は、例えば米国運輸省がアルコール測定器に対して規定している最小呼気圧および最大呼気圧であっても良い。範囲２は、最小呼気圧と、最大呼気圧との間を５等分した範囲のうち最も呼気圧が小さい範囲である。範囲３は、最小呼気圧と、最大呼気圧との間を５等分した範囲のうち２番目に呼気圧が小さい範囲である。範囲４は、最小呼気圧と、最大呼気圧との間を５等分した範囲のうち３番目に呼気圧が小さい範囲である。範囲５は、最小呼気圧と、最大呼気圧との間を５等分した範囲のうち４番目に呼気圧が小さい範囲である。範囲６は、最小呼気圧と、最大呼気圧との間を５等分した範囲のうち最も呼気圧が大きい範囲である。範囲２〜範囲６は、アルコールセンサ３５によるアルコール濃度の測定を有効にする呼気圧の範囲である有効範囲である。
【００４３】
ＣＰＵ３１は、呼気圧が範囲１内であるとＳ５３において判断すると、呼気圧表示部２５に図４に示す範囲１の表示を実行させ（Ｓ５４）、再びＳ５１の処理に戻る。ここで、範囲１の表示は、図４に示すように、発光体２５ａ〜２５ｅが全て消灯している表示である。
【００４４】
ＣＰＵ３１は、呼気圧が範囲１内ではないとＳ５３において判断すると、Ｓ５２において測定した呼気圧が範囲２内であるか否かを判断する（Ｓ５５）。
【００４５】
ＣＰＵ３１は、呼気圧が範囲２内であるとＳ５５において判断すると、呼気圧表示部２５に図４に示す範囲２の表示を実行させる（Ｓ５６）。ここで、範囲２の表示は、図４に示すように、発光体２５ａ〜２５ｅのうち発光体２５ａのみが点灯している表示である。
【００４６】
ＣＰＵ３１は、呼気圧が範囲２内ではないとＳ５５において判断すると、Ｓ５２において測定した呼気圧が範囲３内であるか否かを判断する（Ｓ５７）。
【００４７】
ＣＰＵ３１は、呼気圧が範囲３内であるとＳ５７において判断すると、呼気圧表示部２５に図４に示す範囲３の表示を実行させる（Ｓ５８）。ここで、範囲３の表示は、図４に示すように、発光体２５ａ〜２５ｅのうち発光体２５ａおよび発光体２５ｂのみが点灯している表示である。
【００４８】
ＣＰＵ３１は、呼気圧が範囲３内ではないとＳ５７において判断すると、Ｓ５２において測定した呼気圧が範囲４内であるか否かを判断する（Ｓ５９）。
【００４９】
ＣＰＵ３１は、呼気圧が範囲４内であるとＳ５９において判断すると、呼気圧表示部２５に図４に示す範囲４の表示を実行させる（Ｓ６０）。ここで、範囲４の表示は、図４に示すように、発光体２５ａ〜２５ｅのうち発光体２５ａ〜２５ｃのみが点灯している表示である。
【００５０】
ＣＰＵ３１は、呼気圧が範囲４内ではないとＳ５９において判断すると、Ｓ５２において測定した呼気圧が範囲５内であるか否かを判断する（Ｓ６１）。
【００５１】
ＣＰＵ３１は、呼気圧が範囲５内であるとＳ６１において判断すると、呼気圧表示部２５に図４に示す範囲５の表示を実行させる（Ｓ６２）。ここで、範囲５の表示は、図４に示すように、発光体２５ａ〜２５ｅのうち発光体２５ａ〜２５ｄのみが点灯している表示である。
【００５２】
ＣＰＵ３１は、呼気圧が範囲５内ではないとＳ６１において判断すると、Ｓ５２において測定した呼気圧が範囲６内であるか否かを判断する（Ｓ６３）。
【００５３】
ＣＰＵ３１は、呼気圧が範囲６内であるとＳ６３において判断すると、呼気圧表示部２５に図４に示す範囲６の表示を実行させる（Ｓ６４）。ここで、範囲６の表示は、図４に示すように、発光体２５ａ〜２５ｅが全て点灯している表示である。
【００５４】
ＣＰＵ３１は、呼気圧が範囲６内ではないとＳ６３において判断すると、呼気圧表示部２５に図４に示す範囲７の表示を実行させ（Ｓ６５）、再びＳ５１の処理に戻る。ここで、範囲７の表示は、図４に示すように、発光体２５ａ〜２５ｅが全て点灯している表示である。
【００５５】
ＣＰＵ３１は、Ｓ５６、Ｓ５８、Ｓ６０、Ｓ６２またはＳ６４の処理を終了すると、Ｓ５２において測定した呼気圧に対応する呼気の流速と、呼気圧測定単位時間との積を、ＲＡＭ３３に記憶されている呼気量累計値に加えることによって、ＲＡＭ３３に記憶されている呼気量累計値を更新する（Ｓ６６）。
【００５６】
次いで、ＣＰＵ３１は、ＲＡＭ３３に記憶されている呼気量累計値が有効呼気量に達したか否かを判断する（Ｓ６７）。ここで、Ｓ６７において有効呼気量が設定されている理由は、測定者９０によってマウスピース２２に吹き込まれた空気の体積が少ないときにアルコール濃度を測定してしまうと測定者９０の口に入ったばかりの新鮮な空気のアルコール濃度を測定してしまうおそれがあり、呼気、すなわち肺に入っていた空気のアルコール濃度を測定するためにある程度の体積の空気が吹き込まれる必要があるからである。有効呼気量は、例えば１Ｌなどの量が設定されている。
【００５７】
ＣＰＵ３１は、呼気量累計値が有効呼気量に達していないとＳ６７において判断すると、再びＳ５２の処理を実行する。
【００５８】
一方、ＣＰＵ３１は、呼気量累計値が有効呼気量に達したとＳ６７において判断すると、呼気圧表示部２５に呼気圧の表示を終了させ（Ｓ６８）、吸引ポンプ３７を駆動してアルコールセンサ３５にアルコール濃度の測定を実行させる（Ｓ６９）。
【００５９】
次いで、ＣＰＵ３１は、Ｓ６９において測定されたアルコール濃度をアルコール濃度表示部２４に表示させて（Ｓ７０）、図３に示す処理を終了する。なお、ＣＰＵ３１は、Ｓ７０において表示させたアルコール濃度を所定の時間の経過によって消すようになっている。
【００６０】
図５は、測定者９０によってマウスピース２２に吹き込まれた呼気の圧力の例を示す図である。
【００６１】
測定者９０がスイッチ２３を押すとＣＰＵ３１が上述したように図３に示す処理を実行するので、測定者９０がマウスピース２２に図５に示すように呼気を吹き込むと、呼気圧表示部２５は、時間０から時間ｔ１まで図４に示す範囲１の表示を実行し、時間ｔ１から時間ｔ２まで図４に示す範囲２の表示を実行し、時間ｔ２から時間ｔ３まで図４に示す範囲３の表示を実行し、時間ｔ３から時間ｔ４まで図４に示す範囲４の表示を実行し、時間ｔ４から時間ｔ５まで図４に示す範囲５の表示を実行し、時間ｔ５から時間ｔ６まで図４に示す範囲６の表示を実行し、時間ｔ６から時間ｔ７まで図４に示す範囲７の表示を実行し、時間ｔ７から時間ｔ８まで図４に示す範囲６の表示を実行し、時間ｔ８から時間ｔ９まで図４に示す範囲５の表示を実行する。
【００６２】
以上に説明したように、アルコール測定器１０は、マウスピース２２に呼気を吹き込んでいる最中の測定者９０から視認可能な位置に呼気圧表示部２５が配置されているので、呼気を吹き込んでいる最中の測定者９０に呼気圧を認識させることができる。
【００６３】
また、アルコール測定器１０は、有効範囲内を範囲２〜６という複数の段階で呼気圧表示部２５が表示するようになっているので、有効範囲内の何れの段階に現在の呼気圧が位置しているかを測定者９０に認識させることができる。したがって、アルコール測定器１０は、呼気圧が有効範囲内であるか否かのみを表示する構成、すなわち、有効範囲内を１段階のみで表示する構成と比較して、測定者９０に呼気圧を有効範囲内に容易に維持させることができる。
【００６４】
また、アルコール測定器１０は、呼気圧を複数の段階で表示する複数個の発光体２５ａ〜２５ｅを呼気圧表示部２５が備えているので、呼気圧表示部２５が呼気圧を数値で表示する構成と比較して、呼気圧が適正であるかを測定者９０に容易に認識させることができる。
【００６５】
また、アルコール測定器１０は、図４に示すように複数個の発光体２５ａ〜２５ｅが対応する呼気圧の段階の順番に並べて配列されているので、複数個の発光体２５ａ〜２５ｅが呼気圧の段階の順番と関係なく配置されている構成と比較して、呼気圧が適正であるかを測定者９０に容易に認識させることができる。
【００６６】
また、アルコール測定器１０は、有効範囲内の中央の段階である範囲４に対応する発光体２５ｃが他の発光体２５ａ、２５ｂ、２５ｄ、２５ｅと異なる発光を行うので、有効範囲内の中央の段階である範囲４を測定者９０に容易に認識させることができる。したがって、アルコール測定器１０は、範囲４の表示になるように測定者９０に呼気圧を調整させることによって、測定者９０に呼気の強さを有効範囲内に容易に維持させることができる。
【００６７】
なお、アルコール測定器１０は、発光体２５ｃが他の発光体２５ａ、２５ｂ、２５ｄ、２５ｅと発光色によって異なる発光を行うようになっているが、発光色以外の方法によって異なる発光を行うようになっていても良い。例えば、発光体２５ｃが他の発光体２５ａ、２５ｂ、２５ｄ、２５ｅと発光の大きさ、発光の明るさ、点滅速度などによって異なる発光を行うようになっていても良い。
【００６８】
また、アルコール測定器１０は、有効範囲内の中央の段階である範囲４に対応する発光体２５ｃが他の発光体２５ａ、２５ｂ、２５ｄ、２５ｅと同じ発光を行う構成であっても良い。
【００６９】
また、アルコール測定器１０は、有効範囲内の複数の段階のうち有効範囲外に隣接する段階である範囲６と、この段階に隣接する有効範囲外である範囲７とを呼気圧表示部２５が同一の表示、すなわち、発光体２５ａ〜２５ｅの全てを点灯する表示にしているので、呼気圧が有効範囲内であるときに呼気圧が変化して範囲６になって、有効範囲外である範囲７と同一の表示になっても、この表示になった直後は呼気圧が未だ有効範囲内である範囲６である。したがって、アルコール測定器１０は、この表示にならないように測定者９０に呼気圧を調整させることによって、測定者９０に呼気圧を有効範囲内に容易に維持させることができる。また、アルコール測定器１０は、有効範囲内の段階である範囲６を、有効範囲外である範囲７と同一の表示にするので、範囲６を、範囲７と別の表示にする構成と比較して、発光体の個数を少なくすることができる。
【００７０】
測定者９０は、呼気圧表示部２５が範囲４の表示に留まるように呼気圧表示部２５の表示を確認しながら呼気圧を調整し、もしも呼気圧が範囲４外になったときには呼気圧が更に範囲３の下限より小さくなったり、範囲５の上限より大きくなったりしないように注意して再び範囲４の表示に戻すように呼気圧表示部２５の表示を確認しながら呼気圧を調整することによって、呼気圧を容易に有効範囲内に維持することができる。
【００７１】
なお、アルコール測定器１０は、図４に示すように、点灯する発光体２５ａ〜２５ｅの数によって範囲１〜７を表示しているが、図６に示すように、範囲１〜７のそれぞれに対応する１つの発光体２５ａ〜２５ｅのみを点灯するようになっていても良い。
【００７２】
また、アルコール測定器１０は、範囲１から範囲７に向かって呼気圧が大きくなるに従って、マウスピース２２に呼気を吹き込んでいる最中の測定者９０から見て最も左の発光体である発光体２５ａから最も右の発光体である発光体２５ｅに向かって点灯するようになっているが、最も右の発光体である発光体２５ｅから最も左の発光体である発光体２５ａに向かって点灯するようになっていても良い。
【００７３】
なお、アルコール測定器１０は、マウスピース２２に呼気を吹き込んでいる最中の測定者９０から見て発光体２５ａ〜２５ｅが横方向に配列されているが、発光体２５ａ〜２５ｅの配置が横方向以外の配置であっても良い。例えば、アルコール測定器１０は、図７（ａ）に示すように、マウスピース２２に呼気を吹き込んでいる最中の測定者９０から見て発光体２５ａ〜２５ｅが縦方向に配列されていても良いし、図７（ｂ）に示すように、マウスピース２２に呼気を吹き込んでいる最中の測定者９０から見て発光体２５ａ〜２５ｅがＹ字状に配列されていても良い。
【００７４】
アルコール測定器１０は、発光体２５ａ〜２５ｅが図７（ａ）に示すように配列されている場合にも、発光体２５ａ〜２５ｅが図１に示すように配置されている場合と同様の作用効果を得ることができる。例えば、アルコール測定器１０は、図４や図６に示すように、範囲１から範囲７に向かって呼気圧が大きくなるに従って、マウスピース２２に呼気を吹き込んでいる最中の測定者９０から見て最も遠くの発光体である発光体２５ａから最も近くの発光体である発光体２５ｅに向かって点灯するようになっていても良いし、最も近くの発光体である発光体２５ｅから最も遠くの発光体である発光体２５ａに向かって点灯するようになっていても良い。
【００７５】
同様に、アルコール測定器１０は、発光体２５ａ〜２５ｅが図７（ｂ）に示すように配列されている場合にも、発光体２５ａ〜２５ｅが図１に示すように配置されている場合と同様の作用効果を得ることができる。なお、図７（ｂ）において、発光体２５ａは、２つ配置されているが、共に同一の動作を行う。同様に、図７（ｂ）において、発光体２５ｂは、２つ配置されているが、共に同一の動作を行う。
【００７６】
なお、アルコール測定器１０は、範囲７に対応する発光体を呼気圧表示部２５が新たに設けることによって、範囲６を、範囲７と別の表示にする構成であっても良い。
【００７７】
また、アルコール測定器１０は、複数個の発光体２５ａ〜２５ｅが呼気圧の段階の順番と関係なく配置されている構成であっても良い。
【００７８】
なお、アルコール測定器１０は、呼気強さ表示部が複数個の発光体２５ａ〜２５ｅであるが、呼気強さ表示部が複数個の発光体２５ａ〜２５ｅ以外の構成であっても良い。例えば、アルコール測定器１０は、図８（ａ）に示すように、呼気強さ表示部が発光色を変えることによって呼気圧を複数の段階で表示する１個の発光体２６であっても良いし、図８（ｂ）に示すように、呼気強さ表示部が呼気圧を数値などの任意の表現で表示するＬＣＤなどの表示デバイス２７であっても良い。
【００７９】
アルコール測定器１０は、図８（ａ）に示すように、呼気強さ表示部が発光色を変えることによって呼気圧を複数の段階で表示する１個の発光体２６である場合、複数個の発光体２５ａ〜２５ｅで呼気圧を表示する構成と比較して、発光体の設置空間を小さくすることができる。なお、発光体２６は、発光色以外の発光方法を変えることによって呼気圧を複数の段階で表示するようになっていても良い。例えば、発光体２６は、発光の明るさ、点滅速度などを変えることによって呼気圧を複数の段階で表示するようになっていても良い。
【００８０】
なお、アルコール測定器１０は、有効範囲内を５段階で表示するようになっているが、５段階以外の複数の段階で表示する構成であっても良い。また、アルコール測定器１０は、有効範囲内を１段階のみで表示する構成であっても良い。
【００８１】
（第２の実施の形態）
本発明の第２の実施の形態に係るアルコール測定器の構成について説明する。なお、本実施の形態に係るアルコール測定器の構成のうち、第１の実施の形態に係るアルコール測定器１０（図１参照。）の構成と同様の構成については、アルコール測定器１０の構成と同一の符号を付して詳細な説明を省略する。
【００８２】
図９は、本実施の形態に係るアルコール測定器１１０の外観斜視図である。
【００８３】
図９に示すように、アルコール測定器１１０の構成は、アルコール測定器１０が筐体２１（図１参照。）に代えて筐体１２１を備えるとともに、アルコール測定器１０がアルコール濃度表示部２４および呼気圧表示部２５（図１参照。）に代えて本発明の呼気強さ表示部としての表示部１２２を備えた構成と同様である。
【００８４】
筐体１２１は、測定時に測定者９０によって手９１で持たれるものであり、マウスピース２２およびスイッチ２３が設けられている。また、筐体１２１の内部には、アルコール測定器１０と同様に、ＣＰＵ３１、ＲＯＭ３２、ＲＡＭ３３、不揮発メモリ３４、アルコールセンサ３５、アンプ３６、吸引ポンプ３７、呼気圧センサ３８および時計３９（図２参照。）が設けられている。
【００８５】
筐体１２１は、マウスピース２２が差し込まれる図示していない呼気注入口が形成されている面１２１ａと、面１２１ａに隣接してスイッチ２３が設けられる面１２１ｂと、面１２１ｂに隣接して表示部１２２が設けられる面１２１ｃとを備えている。
【００８６】
表示部１２２は、マウスピース２２に吹き込まれた呼気中のアルコール濃度と、マウスピース２２に吹き込まれた呼気の圧力である呼気圧とを表示するＬＣＤなどの表示デバイスである。表示部１２２は、筐体１２１のうち面１２１ｂより突出している部分１２１ｄ上の位置であって、マウスピース２２に呼気を吹き込んでいる最中の測定者９０の目９２と対向する位置に配置されている。
【００８７】
以上に説明したように、アルコール測定器１１０は、筐体１２１のうち面１２１ｂより突出している部分１２１ｄ上の位置であって、マウスピース２２に呼気を吹き込んでいる最中の測定者９０の目９２と対向する位置に配置されているので、呼気を吹き込んでいる最中の測定者９０に表示部１２２を容易に視認させることができる。
【００８８】
なお、アルコール測定器１１０は、本発明の呼気圧表示部がＬＣＤ以外の構成であっても良い。例えば、アルコール測定器１１０は、第１の実施の形態に示した複数個の発光体２５ａ〜２５ｅ（図１参照。）や１個の発光体２６（図８（ａ）参照。）と同様な構成が本発明の呼気圧表示部として面１２１ｃに設けられても良い。
【００８９】
また、部分１２１ｄを面１２１ｂより突出させる方法としては、図９に示すように筐体１２１の一部を屈曲させる方法以外にも、筐体１２１の一部に凸部を設ける方法がある。
【００９０】
なお、上述した各実施の形態においては、呼気の強さとして呼気圧を使用しているが、呼気の強さとして呼気の流速を使用しても良い。また、本発明の呼気強さセンサとしては、流速センサが使用されても良い。
【００９１】
また、上述した各実施の形態においては、筐体２１に対して抜き差し可能に設けられたマウスピース２２を本発明の呼気吹込部として備えているが、筐体２１に対して抜き差し不可能に設けられて測定者９０に咥えられて呼気が吹き込まれる呼気吹込部を備えていても良いし、測定者９０に咥えられることなく呼気が吹きかけられることによって吹き込まれる呼気吹込部を備えていても良い。
【符号の説明】
【００９２】
２〜６  範囲（有効範囲）
１０  アルコール測定器
２１  筐体
２２  マウスピース（呼気吹込部）
２５  呼気圧表示部（呼気強さ表示部）
２５ａ〜２５ｅ  発光体（複数個の発光体）
２６  発光体（呼気強さ表示部、１個の発光体）
２７  表示デバイス（呼気強さ表示部）
３５  アルコールセンサ
３８  呼気圧センサ（呼気強さセンサ）
９０  測定者
９１  手
９２  目
１１０  アルコール測定器
１２１  筐体
１２１ｄ  部分（突出している部分）
１２２  表示部（呼気強さ表示部）
【要約】
【課題】  呼気を吹き込んでいる最中の測定者に呼気の強さを認識させることができるアルコール測定器を提供する。
【解決手段】  アルコール測定器１０のＣＰＵは、有効範囲内に呼気の圧力が維持されているとき、マウスピース２２に吹き込まれた呼気量の累計値である呼気量累計値を更新し、呼気の圧力が有効範囲外になったとき、呼気量累計値をリセットし、呼気量累計値が、有効呼気量に達したとき、アルコールセンサによってアルコール濃度を測定し、呼気圧表示部２５は、マウスピース２２に呼気を吹き込んでいる最中の測定者９０から視認可能な位置に配置されていることを特徴とする。
【選択図】  図１【図１】
0004709935.tif 000002
【図２】
0004709935.tif 000003
【図３】
0004709935.tif 000004
【図４】
0004709935.tif 000005
【図５】
0004709935.tif 000006
【図６】
0004709935.tif 000007
【図７】
0004709935.tif 000008
【図８】
0004709935.tif 000009
【図９】
0004709935.tif 000010